(57)【要約】【課題】本発明は外部記憶媒体ドライブ手段に着脱可能に挿入されるデータを記憶可能な外部記憶媒体を効率的に有効利用する画像入出力装置を提供する。【解決手段】複合装置１は、外部記憶媒体４０が外部記憶媒体Ｉ／Ｆ２０に挿入されたことを検出すると、外部記憶媒体４０に自動的にアクセスし、また、当該外部記憶媒体４０からデータを自動的に読み出して、プリンタ３３で記録出力可能な状態にメモリ１４に展開し、また、スキャナ３２で読み取った原稿のデータを外部記憶媒体４０に保存する。したがって、外部記憶媒体４０を外部記憶媒体Ｉ／Ｆ２０に挿入した後、いちいち外部記憶媒体Ｉ／Ｆ２０に外部記憶媒体４０に対してアクセスさせす操作を行うことなく、外部記憶媒体４０を効率的に有効利用することができる。【選択図】          図２
2005012288.tif 000002
【特許請求の範囲】
【請求項１】
少なくとも、原稿の画像を読み取る読取手段と、入力されるデータまたは前記読取手段で読み取った原稿のデータを蓄積するデータ蓄積手段と、データを展開するデータ展開手段と、前記データ展開手段に展開されたデータに基づいて用紙にデータを記録出力する記録出力手段と、を備えた画像入出力装置において、データを記憶可能な外部記憶媒体が着脱可能に挿入されるとともに、当該外部記憶媒体の挿入を自動検出する外部記憶媒体ドライブ手段を備え、当該外部記憶媒体の挿入を検出すると、当該外部記憶媒体に自動的にアクセスすることを特徴とする画像入出力装置。
【請求項２】
前記画像入出力装置は、データの記憶されている前記外部記憶媒体が前記外部記憶媒体ドライブ手段に挿入されると、当該外部記憶媒体から当該データを自動的に読み出して、少なくとも、前記記録出力手段で記録出力可能な状態に前記データ展開手段に展開することを特徴とする請求項１記載の画像入出力装置。
【請求項３】
前記画像入出力装置は、前記外部記憶媒体ドライブ手段に前記外部記憶媒体が挿入されている状態で、前記読取手段で原稿のデータを読み取ると、少なくとも、当該読み取ったデータを前記外部記憶媒体に転送して保存することを特徴とする請求項１または請求項２記載の画像入出力装置。
【請求項４】
前記画像入出力装置は、前記外部記憶媒体から読み出したデータまたは前記読取手段で読み取ったデータを前記データ蓄積手段にも蓄積することを特徴とする請求項２または請求項３記載の画像入出力装置。
【請求項５】
前記画像入出力装置は、所定のネットワークに接続されており、当該ネットワークを使用した電子メールを送信する機能を有し、データの記憶されている前記外部記憶媒体が前記外部記憶媒体ドライブ手段に挿入されると、当該外部記憶媒体から当該データを自動的に読み出して、少なくとも、当該読み出したデータを前記電子メールの添付ファイルとする電子メールを自動的に作成することを特徴とする請求項１から請求項３のいずれかに記載の画像入出力装置。
【発明の詳細な説明】
【０００１】
【発明の属する技術分野】
本発明は、画像入出力装置に関し、詳細には、データを記憶可能な外部記憶媒体が着脱可能に挿入される外部記憶媒体ドライブ手段を備え、当該外部記憶媒体ドライブ手段に挿入される外部記憶媒体を効率的に有効利用する画像入出力装置に関する。
【０００２】
【従来の技術】
【特許文献１】
特開平６−１３３０９４号公報
デジタル複写装置は原稿の情報を記録紙に複写するとともに、ファクシミリ装置と同様にワークステーションのネットワークに接続し、読み込んだ原稿の情報を他の端末装置に転送することができる。この記録紙に情報を複写する機能と、他の端末装置に情報を転送する機能を有効に発揮させるために、複写時に読み込んだ情報を全てＩＣカードやフレキシブルディスクに格納し、元の原稿を再度読み取らずにＩＣカード等に格納した情報を利用して再プリントしたり、他の端末装置に情報を転送する複写装置がある。
【０００３】
そして、本出願人は、先に、スキャナで読み取った文書の情報をファイル番号等のファイル情報とともに着脱可能な記憶媒体に格納する画像入出力装置を提案している（特許文献１参照）。
【０００４】
【発明が解決しようとする課題】
しかしながら、このような従来の技術にあっては、複写装置等の画像入出力装置の利用性をより一層向上させる上で、改良の必要があった。
【０００５】
すなわち、上記従来技術にあっては、スキャナで読み取った文書情報を記憶媒体に格納することはできるが、記憶媒体へのアクセス等については、いちいち操作を行ってアクセスさせる必要があり、利用性が悪いとともに、記憶媒体に格納されている文書情報の画像入力装置での利用に関しては、不明であり、より一層利用性を向上させる上で改良の必要があった。
【０００６】
そこで、請求項１記載の発明は、少なくとも、原稿の画像を読み取る読取手段と、入力される画像データまたは読取手段で読み取った原稿の画像データを蓄積するデータ蓄積手段と、画像データを展開する画像データ展開手段と、画像データ展開手段に展開された画像データに基づいて用紙に画像を記録出力する記録出力手段と、画像データを記憶可能な外部記憶媒体が着脱可能に挿入されるとともに、当該外部記憶媒体の挿入を自動検出する外部記憶媒体ドライブ手段とを備え、当該外部記憶媒体の挿入を検出すると、当該外部記憶媒体に自動的にアクセスすることにより、外部記憶媒体を外部記憶媒体ドライブ手段に挿入した後、いちいち外部記憶媒体ドライブ手段に外部記憶媒体に対してアクセスさせる操作を行う手間を省き、パーソナルコンピュータ等を利用することなく、フレキシブルディスクやメモリカード等の外部記憶媒体に記憶されているデータをプリントアウト等して、外部記憶媒体を効率的に有効利用して、利用性の良好な画像入出力装置を提供することを目的としている。
【０００７】
請求項２記載の発明は、データの記憶されている外部記憶媒体が外部記憶媒体ドライブ手段に挿入されると、当該外部記憶媒体から当該データを自動的に読み出して、少なくとも、記録出力手段で記録出力可能な状態にデータ展開手段に展開することにより、外部記憶媒体を外部記憶媒体ドライブ手段に挿入した後、いちいち外部記憶媒体ドライブ手段に外部記憶媒体に対してアクセスさせて記録出力のためのデータ転送操作の指示操作を行う手間を省き、パーソナルコンピュータ等を利用することなく、フレキシブルディスクやメモリカード等の外部記憶媒体に記憶されているデータを簡単かつ速やかにプリントアウト等して、外部記憶媒体をより一層効率的に有効利用して、より一層利用性の良好な画像入出力装置を提供することを目的としている。
【０００８】
請求項３記載の発明は、外部記憶媒体ドライブ手段に外部記憶媒体が挿入されている状態で、読取手段で原稿のデータを読み取ると、少なくとも、当該読み取ったデータを外部記憶媒体に転送して保存することにより、読取手段で読み取る場合に、外部記憶媒体ドライブ手段に挿入した外部記憶媒体に当該読み取った原稿のデータの転送操作を行う手間を省き、パーソナルコンピュータ等を利用することなく、フレキシブルディスクやメモリカード等の外部記憶媒体に原稿のデータを保存して、外部記憶媒体をより一層効率的に有効利用して、利用性のより一層良好な画像入出力装置を提供することを目的としている。
【０００９】
請求項４記載の発明は、外部記憶媒体から読み出したデータまたは読取手段で読み取ったデータをデータ蓄積手段にも蓄積することにより、データの再利用や他の用途への利用を図れるようにし、利用性のより一層良好な画像入出力装置を提供することを目的としている。
【００１０】
請求項５記載の発明は、ネットワークを使用した電子メールを送信する機能を有していて、データの記憶されている外部記憶媒体が外部記憶媒体ドライブ手段に挿入されると、当該外部記憶媒体から当該データを自動的に読み出して、少なくとも、当該読み出したデータを電子メールの添付ファイルとする電子メールを自動的に作成することにより、パーソナルコンピュータ等を用いることなく、フレキシブルディスクやメモリカード等の外部記憶媒体のデータを添付ファイルとする電子メールを簡単かつ容易に作成し、利用性のより一層良好な画像入出力装置を提供することを目的としている。
【００１１】
【課題を解決するための手段】
請求項１記載の発明の画像入出力装置は、少なくとも、原稿の画像を読み取る読取手段と、入力されるデータまたは前記読取手段で読み取った原稿のデータを蓄積するデータ蓄積手段と、データを展開するデータ展開手段と、前記データ展開手段に展開されたデータに基づいて用紙にデータを記録出力する記録出力手段と、を備えた画像入出力装置において、データを記憶可能な外部記憶媒体が着脱可能に挿入されるとともに、当該外部記憶媒体の挿入を自動検出する外部記憶媒体ドライブ手段を備え、当該外部記憶媒体の挿入を検出すると、当該外部記憶媒体に自動的にアクセスすることにより、上記目的を達成している。
【００１２】
上記構成によれば、少なくとも、原稿の画像を読み取る読取手段と、入力される画像データまたは読取手段で読み取った原稿の画像データを蓄積するデータ蓄積手段と、画像データを展開する画像データ展開手段と、画像データ展開手段に展開された画像データに基づいて用紙に画像を記録出力する記録出力手段と、画像データを記憶可能な外部記憶媒体が着脱可能に挿入されるとともに、当該外部記憶媒体の挿入を自動検出する外部記憶媒体ドライブ手段とを備え、当該外部記憶媒体の挿入を検出すると、当該外部記憶媒体に自動的にアクセスするので、外部記憶媒体を外部記憶媒体ドライブ手段に挿入した後、いちいち外部記憶媒体ドライブ手段に外部記憶媒体に対してアクセスさせる操作を行う手間を省くことができ、パーソナルコンピュータ等を利用することなく、フレキシブルディスクやメモリカード等の外部記憶媒体に記憶されているデータをプリントアウト等して、外部記憶媒体を効率的に有効利用して、利用性を向上させることができる。
【００１３】
この場合、例えば、請求項２に記載するように、前記画像入出力装置は、データの記憶されている前記外部記憶媒体が前記外部記憶媒体ドライブ手段に挿入されると、当該外部記憶媒体から当該データを自動的に読み出して、少なくとも、前記記録出力手段で記録出力可能な状態に前記データ展開手段に展開するものであってもよい。
【００１４】
上記構成によれば、データの記憶されている外部記憶媒体が外部記憶媒体ドライブ手段に挿入されると、当該外部記憶媒体から当該データを自動的に読み出して、少なくとも、記録出力手段で記録出力可能な状態にデータ展開手段に展開するので、外部記憶媒体を外部記憶媒体ドライブ手段に挿入した後、いちいち外部記憶媒体ドライブ手段に外部記憶媒体に対してアクセスさせて記録出力のためのデータ転送操作の指示操作を行う手間を省くことができ、パーソナルコンピュータ等を利用することなく、フレキシブルディスクやメモリカード等の外部記憶媒体に記憶されているデータを簡単かつ速やかにプリントアウト等して、外部記憶媒体をより一層効率的に有効利用して、より一層利用性を向上させることができる。
【００１５】
また、例えば、請求項３に記載するように、前記画像入出力装置は、前記外部記憶媒体ドライブ手段に前記外部記憶媒体が挿入されている状態で、前記読取手段で原稿のデータを読み取ると、少なくとも、当該読み取ったデータを前記外部記憶媒体に転送して保存するものであってもよい。
【００１６】
上記構成によれば、外部記憶媒体ドライブ手段に外部記憶媒体が挿入されている状態で、読取手段で原稿のデータを読み取ると、少なくとも、当該読み取ったデータを外部記憶媒体に転送して保存するので、読取手段で読み取る場合に、外部記憶媒体ドライブ手段に挿入した外部記憶媒体に当該読み取った原稿のデータの転送操作を行う手間を省くことができ、パーソナルコンピュータ等を利用することなく、フレキシブルディスクやメモリカード等の外部記憶媒体に原稿のデータを保存して、外部記憶媒体をより一層効率的に有効利用して、利用性をより一層向上させることができる。
【００１７】
さらに、例えば、請求項４に記載するように、前記画像入出力装置は、前記外部記憶媒体から読み出したデータまたは前記読取手段で読み取ったデータを前記データ蓄積手段にも蓄積するものであってもよい。
【００１８】
上記構成によれば、外部記憶媒体から読み出したデータまたは読取手段で読み取ったデータをデータ蓄積手段にも蓄積するので、データの再利用や他の用途への利用を図れるようにすることができ、利用性をより一層向上させることができる。
【００１９】
また、例えば、請求項５に記載するように、前記画像入出力装置は、所定のネットワークに接続されており、当該ネットワークを使用した電子メールを送信する機能を有し、データの記憶されている前記外部記憶媒体が前記外部記憶媒体ドライブ手段に挿入されると、当該外部記憶媒体から当該データを自動的に読み出して、少なくとも、当該読み出したデータを前記電子メールの添付ファイルとする電子メールを自動的に作成するものであってもよい。
【００２０】
上記構成によれば、ネットワークを使用した電子メールを送信する機能を有していて、データの記憶されている外部記憶媒体が外部記憶媒体ドライブ手段に挿入されると、当該外部記憶媒体から当該データを自動的に読み出して、少なくとも、当該読み出したデータを電子メールの添付ファイルとする電子メールを自動的に作成するので、パーソナルコンピュータ等を用いることなく、フレキシブルディスクやメモリカード等の外部記憶媒体のデータを添付ファイルとする電子メールを簡単かつ容易に作成するので、利用性をより一層向上させることができる。
【００２１】
【発明の実施の形態】
以下、本発明の好適な実施の形態を添付図面に基づいて詳細に説明する。なお、以下に述べる実施の形態は、本発明の好適な実施の形態であるから、技術的に好ましい種々の限定が付されているが、本発明の範囲は、以下の説明において特に本発明を限定する旨の記載がない限り、これらの態様に限られるものではない。
【００２２】
図１〜図４は、本発明の画像入出力装置の第１の実施の形態を示す図であり、図１は、本発明の画像入出力装置の第１の実施の形態を適用した複合装置１の正面外観図である。
【００２３】
複合装置１は、画像の読み取り、記録出力、送受信等のいわゆるコピー機能、ファックス機能、プリンタ機能、スキャナ機能等を備えた複合装置であり、本体筐体２に着脱可能に外部記憶媒体４０（図４参照）の挿入される外部記憶媒体Ｉ／Ｆ２０が設けられている。この複合装置１は、コンビニエンスストア等に設定されて、課金装置で料金管理しつつコピー機能、プリンタ機能、ファックス機能等を提供する。
【００２４】
複合装置１は、本体筐体２の下部に記録出力する用紙を複数枚収納する用紙トレイ３を備えており、本体筐体２の左側面に、複合装置１の本体部で記録処理された用紙が排出されて載置する排紙トレイ４が設けられている。
【００２５】
複合装置１は、図２に示すように、コントローラ１０とエンジン３０等を備えており、コントローラ１０の制御下でエンジン３０が動作する。
【００２６】
コントローラ１０は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ  ）１１と、このＡＳＩＣ１１に接続されている操作部１２、ハードディスク（データ蓄積手段）１３、メモリ（データ展開手段）１４及びＣＰＵ（Ｃｅｎｔｒａｌ  Ｐｒｏｃｅｓｓｉｎｇ  Ｕｎｉｔ  ）１５と、このＣＰＵ１５に接続されているＰＣＩバス（Ｐｅｒｉｐｈｅｒａｌ  Ｃｏｍｐｏｎｅｎｔ  Ｉｎｔｅｒｃｏｎｎｅｃｔ  Ｂｕｓ）１６に接続されているメモリ１７、ＡＳＩＣ１８、高速シリアルＩ／Ｆ１９、外部記憶媒体Ｉ／Ｆ（外部記憶媒体ドライブ手段）２０等を備えている。
【００２７】
エンジン３０は、ＣＰＵ３１、スキャナ（読取手段）３２、プリンタ（記録出力手段）３３及びＡＳＩＣ３４等を備えており、ＡＳＩＣ３４は、ＰＣＩ３５と画像処理部３６等を備えている。
【００２８】
エンジン３０は、ＣＰＵ３１の制御下で、スキャナ３２を駆動して、スキャナ３２で原稿を主走査及び副走査して、原稿の画像を読み取り、スキャナ３２の読み取った原稿の画像データをＡＳＩＣ３３に出力する。ＡＳＩＣ３３は、画像処理部３５でスキャナ３２から入力される画像データに必要な画像処理を施して、ＰＣＩ３５を介してコントローラ１０に出力する。
【００２９】
プリンタ３３は、ＣＰＵ３１の制御下で、例えば、ＡＳＩＣ３４から入力されるデータに基づいて電子写真方式で画像を用紙に記録出力する。
【００３０】
コントローラ１０は、ＣＰＵ１５の制御下で、エンジン３０から入力される画像データをＡＳＩＣ１１で必要な画像処理を施した後、ハードディスク１３に記憶し、また、メモリ１４に展開して、その後の処理、例えば、プリンタ３３での用紙への記録出力、後述する高速シリアルＩ／Ｆに接続された外部機器への転送、外部記憶媒体Ｉ／Ｆ２０に挿入された外部記憶媒体４０への書き込み等を行う。
【００３１】
操作部１２は、各種操作キーと表示パネルを備え、操作キーからは複合装置１の各種動作に必要な操作が行われ、表示パネルには、操作キーから入力された操作内容及び複合装置１から利用者に通知する各種情報を表示する。
【００３２】
メモリ１７は、複合装置１の基本プログラムや後述する外部記憶媒体制御処理プログラム及びこれらの各種プログラムを実行するのに必要な各種データが格納されており、ＣＰＵ１５は、メモリ１７内のプログラムに基づいて複合装置１としての基本処理を実行するとともに、後述する外部記憶媒体制御処理を実行する。
【００３３】
高速シリアルＩ／Ｆ１９には、外部機器等が接続され、ＣＰＵ１５の制御下で、当該外部機器等との間でデータの授受を行う。
【００３４】
外部記憶媒体Ｉ／Ｆ２０には、着脱可能に外部記憶媒体４０、例えば、フロッピィディスク（登録商標）、メモリカード（例えば、ＳＤメモリカード等）等が挿入され、外部記憶媒体Ｉ／Ｆ２０は、ＣＰＵ１５の制御下で、当該外部記憶媒体４０をドライブして、外部記憶媒体４０に記憶されているデータの読み出し及び外部記憶媒体４０へのデータの書き込みを行う。この外部記憶媒体Ｉ／Ｆ２０は、外部記憶媒体４０の当該外部記憶媒体Ｉ／Ｆ２０への挿入及び取り出しを自動検出し、検出結果をＣＰＵ１５に出力する。
【００３５】
次に、本実施の形態の作用を説明する。複合装置１は、外部記憶媒体Ｉ／Ｆ２０への外部記憶媒体４０の挿入を検出すると、ＣＰＵ１５が自動的に外部記憶媒体Ｉ／Ｆ２０を介して外部記憶媒体４０をドライブして、当該外部記憶媒体４０の記憶するデータを読み出して、ハードディスク１３に格納するとともに、メモリ１４に展開して、プリンタ３３での記録出力の準備に入る。また、複合装置１は、スキャナ３２で読み取った原稿の画像データをハードディスク１３に格納するとともに、外部記憶媒体Ｉ／Ｆ２０に挿入されている外部記憶媒体４０に自動転送する。
【００３６】
すなわち、複合装置１は、図３に示すように、文書データ等のデータの記録された外部記憶媒体４０が外部記憶媒体Ｉ／Ｆ２０に挿入されると、外部記憶媒体Ｉ／Ｆ２０が当該外部記憶媒体４０の挿入を自動検出して、ＣＰＵ１５に出力し、ＣＰＵ１５が当該外部記憶媒体４０の挿入を判別するが（ステップＳ１０１）、このとき、外部記憶媒体４０の自動検出が適切に行われないときには、操作部１２の表示パネルに、リセットを促す表示を行って（ステップＳ１０２）、再度、外部記憶媒体４０の挿入の有無を判別する（ステップＳ１０１）。
【００３７】
ステップＳ１０１で、外部記憶媒体４０が挿入されたことを判別すると、ＣＰＵ１５は、外部記憶媒体Ｉ／Ｆ２０を介して外部記憶媒体４０をドライブし、外部記憶媒体４０に記憶されているデータを順次ハードディスク１３に格納するファイルの自動転送を開始する（ステップＳ１０３）。
【００３８】
ＣＰＵ１５は、ファイルの自動転送を開始すると、外部記憶媒体４０に記憶されている全てのデータの転送が終了したかチェックし（ステップＳ１０４）、転送が完了していないときには、転送を継続して、全てのデータの転送が完了すると、データをメモリ１４に展開して、プリントの準備を行う（ステップＳ１０５）。
【００３９】
データを全てメモリ１４に展開してプリントの準備を完了すると、ＣＰＵ１５は、展開したデータをエンジン３０に転送し、エンジン３０は、当該転送されてきたデータをＣＰＵ３１の制御下で、ＡＳＩＣ３４で必要な画像処理を行った後、プリンタ３３に転送して、プリンタ３３で用紙に記録するプリント処理を行う（ステップＳ１０６）。
【００４０】
また、複合装置１は、外部記憶媒体Ｉ／Ｆ２０に、空き容量のある外部記憶媒体４０が挿入されている状態で、スキャナ３２で原稿の読み取りを行うと、スキャナ３２で読み取った原稿の画像データをハードディスク１３に格納するとともに、外部記憶媒体４０に自動転送して、記憶させる。
【００４１】
すなわち、図４に示すように、複合装置１は、外部記憶媒体Ｉ／Ｆ２０に外部記憶媒体４０が挿入された状態で、スキャナ３２で原稿の画像を読み取るスキャナ動作の指示操作が操作部１２で行われると、ＣＰＵ１５は、スキャナ３２をエンジン３０のＣＰＵ３１を介して制御して、スキャナ３２に原稿の画像を読み取らせる。
【００４２】
エンジン３０のＣＰＵ３１は、スキャナ３２に原稿の画像を読み取らせると、当該スキャナ３２の読み取った画像データを、図４に一点鎖線で示すように、ＡＳＩＣ３４の画像処理部３６で必要な画像処理を行わせた後、コントローラ１０に転送する。
【００４３】
コントローラ１０のＣＰＵ１５は、エンジン３０から転送されてくる画像データを、図４に一点鎖線で示すように、ＡＳＩＣ１１で必要な画像処理を行わせた後、ハードディスク１３に格納するとともに、メモリ１４でファイル展開して、ＰＣＩバス１６を介して外部記憶媒体Ｉ／Ｆ２０にＰＣＩ転送し、外部記憶媒体Ｉ／Ｆ２０を介して外部記憶媒体４０をドライブして、当該外部記憶媒体４０にメモリ１４からのデータを書き込む。
【００４４】
このように、本実施の形態の複合装置１は、外部記憶媒体４０が外部記憶媒体Ｉ／Ｆ２０に挿入されたことを検出すると、外部記憶媒体４０に自動的にアクセスする。
【００４５】
したがって、外部記憶媒体４０を外部記憶媒体Ｉ／Ｆ２０に挿入した後、いちいち外部記憶媒体Ｉ／Ｆ２０に外部記憶媒体４０に対してアクセスさせる操作を行う手間を省くことができ、パーソナルコンピュータ等を利用することなく、フレキシブルディスクやメモリカード等の外部記憶媒体４０に記憶されているデータをプリントアウト等して、外部記憶媒体４０を効率的に有効利用して、利用性を向上させることができる。
【００４６】
また、本実施の形態の複合装置１は、データの記憶されている外部記憶媒体４０が外部記憶媒体Ｉ／Ｆ２０に挿入されると、当該外部記憶媒体４０から当該データを自動的に読み出して、少なくとも、プリンタ３３で記録出力可能な状態にメモリ１４に展開している。
【００４７】
したがって、外部記憶媒体４０を外部記憶媒体Ｉ／Ｆ２０に挿入した後、いちいち外部記憶媒体Ｉ／Ｆ２０に外部記憶媒体４０に対してアクセスさせて記録出力のためのデータ転送操作の指示操作を行う手間を省くことができ、パーソナルコンピュータ等を利用することなく、フレキシブルディスクやメモリカード等の外部記憶媒体４０に記憶されているデータを簡単かつ速やかにプリントアウト等して、外部記憶媒体４０をより一層効率的に有効利用して、より一層利用性を向上させることができる。
【００４８】
さらに、本実施の形態の複合装置１は、外部記憶媒体Ｉ／Ｆ２０に外部記憶媒体４０が挿入されている状態で、スキャナ３２で原稿のデータを読み取ると、少なくとも、当該読み取ったデータを外部記憶媒体４０に転送して保存している。
【００４９】
したがって、スキャナ３２で読み取る場合に、外部記憶媒体Ｉ／Ｆ２０に挿入した外部記憶媒体４０に当該読み取った原稿のデータの転送操作を行う手間を省くことができ、パーソナルコンピュータ等を利用することなく、フレキシブルディスクやメモリカード等の外部記憶媒体４０に原稿のデータを保存して、外部記憶媒体４０をより一層効率的に有効利用して、利用性をより一層向上させることができる。
【００５０】
また、本実施の形態の複合装置１は、外部記憶媒体４０から読み出したデータまたはスキャナ３２で読み取ったデータをハードディスク１３にも蓄積している。
【００５１】
したがって、データの再利用や他の用途への利用を図れるようにすることができ、利用性をより一層向上させることができる。
【００５２】
図５は、本発明の画像入出力装置の第２の実施の形態を適用した複合装置によるファイル送信処理を示すフローチャートである。
【００５３】
なお、本実施の形態は、上記第１の実施の形態の複合装置１と同様の複合装置に適用したものであり、本実施の形態の説明においては、必要に応じて、上記第１の実施の形態の説明で用いた符号をそのまま用いて説明する。
【００５４】
本実施の形態の複合装置１は、外部記憶媒体４０に格納されているデータを電子メールの添付ファイルとして送信する。
【００５５】
そこで、本実施の形態の複合装置１は、電子メールを利用することのできる回線やネットワーク等に接続され、当該回線やネットワーク等を介して電子メールを送信するとともに、当該電子メールにファイルを添付して送信する機能を有している。
【００５６】
そして、複合装置１は、操作部１２でファイル転送が設定された後、外部記憶媒体Ｉ／Ｆ２０に外部記憶媒体４０が挿入されると、外部記憶媒体Ｉ／Ｆ２０が当該外部記憶媒体４０の挿入を検出してＣＰＵ１５に通知し、ＣＰＵ１５は、ファイルの送信を行うか否かを操作部１２の設定内容に基づいて判別し（ステップＳ２０１）、ファイル送信しないときには、操作部１２にファイル転送を行うか否かの問い合わせの表示を行って、再度ファイル送信を行うか否か判別するが、上記第１に実施の形態のように、プリント準備動作を行ってもよい。
【００５７】
ステップＳ２０１で、ファイル送信を行うときには、ＣＰＵ１５は、ファイル送信する送り先のアドレスの設定を促す表示を操作部１２の表示パネルに表示して、アドレスが設定操作されると、当該設定操作されたアドレスを送信先アドレスとして設定した電子メールを作成する（ステップＳ２０２）。
【００５８】
この場合、電子メールの本文の文書内容は、操作部１２から入力された内容であってもよいし、予めメモリ１７等に格納されている規定文書、または、複数の規定文書から操作部１２で選択された規定文書であってもよい。
【００５９】
そして、ＣＰＵ１５は、電子メールを作成すると、外部記憶媒体Ｉ／Ｆ２０をドライブして外部記憶媒体４０に記憶されているデータをハードディスク１３に格納するとともに、メモリ１４にファイルとして展開して、当該メモリ１４に展開したファイルを当該電子メールの添付ファイルとして添付し、当該添付ファイルを添付した電子メールを上記指定のアドレス宛に送信する（ステップＳ２０３）。
【００６０】
このように、本実施の形態の複合装置１は、ネットワークを使用した電子メールを送信する機能を有していて、データの記憶されている外部記憶媒体４０が外部記憶媒体Ｉ／Ｆ２０に挿入されると、当該外部記憶媒体４０から当該データを自動的に読み出して、少なくとも、当該読み出したデータを電子メールの添付ファイルとする電子メールを自動的に作成している。
【００６１】
したがって、パーソナルコンピュータ等を用いることなく、フレキシブルディスクやメモリカード等の外部記憶媒体４０のデータを添付ファイルとする電子メールを簡単かつ容易に作成するので、利用性をより一層向上させることができる。
【００６２】
なお、上記各実施の形態においては、外部記憶媒体４０からのデータの読出時及び外部記憶媒体４０へのデータの書込時に、ハードディスク１３へのデータを格納しているが、このハードディスク１３へのデータの格納は、必ずしも必要ではなく、ハードディスク１３へもデータを格納することで、データの有効利用を図ることができるが、データを再利用しない場合には、ハードディスク１３へのデータの格納を省いてもよい。
【００６３】
以上、本発明者によってなされた発明を好適な実施の形態に基づき具体的に説明したが、本発明は上記のものに限定されるものではなく、その要旨を逸脱しない範囲で種々変更可能であることはいうまでもない。
【００６４】
【発明の効果】
請求項１記載の発明の画像入出力装置によれば、少なくとも、原稿の画像を読み取る読取手段と、入力される画像データまたは読取手段で読み取った原稿の画像データを蓄積するデータ蓄積手段と、画像データを展開する画像データ展開手段と、画像データ展開手段に展開された画像データに基づいて用紙に画像を記録出力する記録出力手段と、画像データを記憶可能な外部記憶媒体が着脱可能に挿入されるとともに、当該外部記憶媒体の挿入を自動検出する外部記憶媒体ドライブ手段とを備え、当該外部記憶媒体の挿入を検出すると、当該外部記憶媒体に自動的にアクセスするので、外部記憶媒体を外部記憶媒体ドライブ手段に挿入した後、いちいち外部記憶媒体ドライブ手段に外部記憶媒体に対してアクセスさせる操作を行う手間を省くことができ、パーソナルコンピュータ等を利用することなく、フレキシブルディスクやメモリカード等の外部記憶媒体に記憶されているデータをプリントアウト等して、外部記憶媒体を効率的に有効利用して、利用性を向上させることができる。
【００６５】
請求項２記載の発明の画像入出力装置によれば、データの記憶されている外部記憶媒体が外部記憶媒体ドライブ手段に挿入されると、当該外部記憶媒体から当該データを自動的に読み出して、少なくとも、記録出力手段で記録出力可能な状態にデータ展開手段に展開するので、外部記憶媒体を外部記憶媒体ドライブ手段に挿入した後、いちいち外部記憶媒体ドライブ手段に外部記憶媒体に対してアクセスさせて記録出力のためのデータ転送操作の指示操作を行う手間を省くことができ、パーソナルコンピュータ等を利用することなく、フレキシブルディスクやメモリカード等の外部記憶媒体に記憶されているデータを簡単かつ速やかにプリントアウト等して、外部記憶媒体をより一層効率的に有効利用して、より一層利用性を向上させることができる。
【００６６】
請求項３記載の発明の画像入出力装置によれば、外部記憶媒体ドライブ手段に外部記憶媒体が挿入されている状態で、読取手段で原稿のデータを読み取ると、少なくとも、当該読み取ったデータを外部記憶媒体に転送して保存するので、読取手段で読み取る場合に、外部記憶媒体ドライブ手段に挿入した外部記憶媒体に当該読み取った原稿のデータの転送操作を行う手間を省くことができ、パーソナルコンピュータ等を利用することなく、フレキシブルディスクやメモリカード等の外部記憶媒体に原稿のデータを保存して、外部記憶媒体をより一層効率的に有効利用して、利用性をより一層向上させることができる。
【００６７】
請求項４記載の発明の画像入出力装置によれば、外部記憶媒体から読み出したデータまたは読取手段で読み取ったデータをデータ蓄積手段にも蓄積するので、データの再利用や他の用途への利用を図れるようにすることができ、利用性をより一層向上させることができる。
【００６８】
請求項５記載の発明の画像入出力装置によれば、ネットワークを使用した電子メールを送信する機能を有していて、データの記憶されている外部記憶媒体が外部記憶媒体ドライブ手段に挿入されると、当該外部記憶媒体から当該データを自動的に読み出して、少なくとも、当該読み出したデータを電子メールの添付ファイルとする電子メールを自動的に作成するので、パーソナルコンピュータ等を用いることなく、フレキシブルディスクやメモリカード等の外部記憶媒体のデータを添付ファイルとする電子メールを簡単かつ容易に作成するので、利用性をより一層向上させることができる。
【図面の簡単な説明】
【図１】本発明の画像入出力装置の第１の実施の形態を適用した複合装置の正面外観図。
【図２】図１の複合装置の要部ブロック構成図。
【図３】図１の複合装置による外部記憶媒体制御処理を示すフローチャート。
【図４】図２の複合装置のスキャナでの読取データの外部記憶媒体への格納処理の説明図。
【図５】本発明の画像入出力装置の第２の実施の形態を適用した複合装置による外部記憶媒体のデータの送信処理を示すフローチャート。
【符号の説明】
１  複合装置
２  本体筐体
３  用紙トレイ
４  排紙トレイ
１０  コントローラ
１１  ＡＳＩＣ
１２  操作部
１３  ハードディスク
１４  メモリ
１５  ＣＰＵ
１６  ＰＣＩバス
１７  メモリ
１８  ＡＳＩＣ
１９  高速シリアルＩ／Ｆ
２０  外部記憶媒体Ｉ／Ｆ
３０  エンジン
３１  ＣＰＵ
３２  スキャナ
３３  プリンタ
３４  ＡＳＩＣ
３５  ＰＣＩ
３６  画像処理部
４０  外部記憶媒体
【図１】
2005012288.tif 000003
【図２】
2005012288.tif 000004
【図３】
2005012288.tif 000005
【図４】
2005012288.tif 000006
【図５】
2005012288.tif 000007